(57)【特許請求の範囲】
【請求項１】
仮想私設ネットワークのサーバーから移動通信端末機にデータを伝送する方法において、
移動通信端末機によって前記移動通信端末機の属する訪問者ノード管理者に仮想私設ネットワークサービス登録を要請する過程と、
前記訪問者ノード管理者によって前記訪問者ノード管理者及びホームノード管理者に連結されているインターネットサービス提供者ルータに、前記移動通信端末機が仮想私設ネットワークサービス登録を要請したことを通報する過程と、
前記仮想私設ネットワークサーバーによって前記インターネットサービス提供者ルータを通して前記ホームノード管理者から前記訪問者ノード管理者に関する情報を獲得する過程と、
前記仮想私設ネットワークサーバーに連結されているインターネットサービス提供者ルータから前記訪問者ノード管理者と連結されているインターネットサービス提供者ルータにデータをルーティングし、前記訪問者ノード管理者情報を利用して前記訪問者ノード管理者を通して前記移動通信端末機にデータを伝送する過程と、
を含み、
前記移動通信端末機は、前記仮想私設ネットワークサービス登録を前記訪問者ノード管理者に要請する時、所望する仮想私設ネットワークサービスを示す仮想私設ネットワークサービスＩＤを伝送する
ことを特徴とする方法。
【請求項２】
前記訪問者ノード管理者は、前記移動通信端末機による前記仮想私設サービス登録の要請を通報する時、仮想私設ネットワークＩＤを伝送することを特徴とする請求項１記載の方法。
【請求項３】
前記訪問者ノード管理者情報は、前記訪問者ノード管理者のアドレスであることを特徴とする請求項１記載の方法。
【請求項４】
前記訪問者ノード管理者は、前記移動通信端末機による仮想私設ネットワークサービス登録の要請を通報する時、前記移動通信端末機のアドレスを伝送することを特徴とする請求項２記載の方法。
【請求項５】
前記仮想私設ネットワークサーバーの属する仮想私設ネットワークは、インターネットプロトコルネットワークに基づくことを特徴とする請求項１記載の方法。
【請求項６】
前記アドレスは、インターネットプロトコルアドレスであることを特徴とする請求項３記載の方法。
【請求項７】
前記仮想私設ネットワークサーバーの属するＣＰＥルータに連結されるインターネットサービス提供者ルータを通して前記ホームノード管理者から前記訪問者ノード管理者に関する情報を獲得することを特徴とする請求項１記載の方法。
【請求項８】
仮想私設ネットワークサーバーから移動通信端末機にデータを伝送する方法において、
移動通信端末機によって前記移動通信端末機の属する訪問者ノード管理者に仮想私設ネットワークサービス登録を要請する過程と、
訪問者ノード管理者によって前記訪問者ノード管理者と連結されているインターネットサービス提供者ルータに前記移動通信端末機が仮想私設サービス登録を要請したことを通報する過程と、
前記仮想私設ネットワークサーバーから前記移動通信端末機をターゲットにするデータが発生する時、前記仮想私設ネットワークサーバーに連結されているインターネットサービス提供者ルーターから前記訪問者ノード管理者と連結されているインターネットサービス提供者ルータにデータをルーティングし、前記訪問者ノード管理者を通して前記移動通信端末機に前記データを伝送する過程と、
を含み、
前記移動通信端末機は、前記仮想私設ネットワークサービス登録を前記訪問者ノード管理者に要請した時、所望する仮想私設ネットワークサービスを示す仮想私設ネットワークサービスＩＤを伝送する
ことを特徴とする方法。
【請求項９】
前記訪問者ノード管理者は、前記移動通信端末機による仮想私設サービス登録の要請を通報する時、前記仮想私設ネットワークＩＤを伝送することを特徴とする請求項８記載の方法。
【発明の詳細な説明】
【０００１】
【発明の属する技術分野】
本発明は、仮想私設ネットワーク(Virtual Private Network: 以下、ＶＰＮと称する)に関し、特に、仮想私設ルータネットワーク(Virtual Private Router Network:以下、ＶＰＲＮと称する)において移動通信端末機のためのデータ送受信方法に関する。
【０００２】
【従来の技術】
一般的に、移動通信端末機(Mobile Node: 以下、ＭＮと称する)は、移動性を有し、使用者は、移動性が保障されながら音声通話またはデータ通信をするために前記移動通信端末機を使用する。前記移動通信端末機は、移動性のためで位置が制約されないので、多数の使用者が移動しながらインターネット(Internet)通信のようなデータサービスを受けることを可能にする。現在、より信頼できる移動サービスを提供するための方法及びシステムに関する開発が遂行されている。移動性を確保しつつ安定的なデータサービスを提供するために、前記移動通信端末機に固定的なＩＰアドレス(Internet Protocol address)を割り当てるべきである。従って、移動通信端末機にモバイルＩＰ(Mobile IP)アドレスを割り当てるための研究が盛んで進められている。
【０００３】
図１は、移動通信端末機にモバイルＩＰアドレスを割り当てるためのモバイルＩＰネットワークの構成を示す図である。以下、移動通信端末機にモバイルＩＰを割り当てるためのネットワークの構成及び位置登録に関して説明する。図１を参照すると、移動通信端末機(Mobile Node: ＭＮ)１０は、システム初期化の時、または、位置登録が必要である時に、基地局に位置登録を遂行する。前述したように、前記ＭＮ１０は移動性を有するので、自分のサービスが登録された地域でない他の地域、例えば、前記ＭＮ１０が韓国のサービス提供者に登録されていても米国から位置登録信号を送信することができる。つまり、移動通信サービス提供者間に特定のサービスプロトコルが設定されている場合に位置登録ができる。前記位置登録は、図１を参照して説明する。
【０００４】
前記ＭＮ１０は、無線で位置登録要求(Registration Request)メッセージを基地局として機能する前記訪問者ノード管理者(Foreign Agent: 以下、ＦＡと称する)２０に伝達する。そうすると、前記ＦＡ２０は、前記ＦＡ２０のアドレスを有する位置登録メッセージを前記ＭＮ１０のホームノード管理者(Home Agent: 以下、ＨＡと称する)３０に所定のネットワーク(Network)２５を通して伝達する。前記ＨＡ３０は、前記ＦＡ２０から受信されたデータのうち前記ＦＡ２０のアドレスを貯蔵する。つまり、前記ＨＡ３０は、前記ＭＮ１０のアドレス(Care-of-Address: 以下、ＣＯＡと称する)、つまり、前記ＦＡ２０のアドレスを貯蔵する。次に、前記ＨＡ３０は、前記位置登録要求メッセージに対応して位置登録応答(Registration Replay)メッセージを前記ＦＡ２０に伝達する。前述した過程を通して、前記ＭＮ１０の位置登録が遂行される。前記ＭＮ１０は、前記ＨＡ３０に前記ＭＮ１０の位置が登録されて初めて通信ノード(Correspondent Node: 以下、ＣＮと称する)４０からデータを受信することができる。前記ＣＮ４０は、前記ＭＮ１０とデータ通信を遂行する一般のネットワークのホスト(host)である。前記ＭＮ１０と前記ＣＮ４０との間にデータを送信する過程を図２を参照して説明する。
【０００５】
図２は、ＭＮにモバイルＩＰを割り当てるためのネットワークを通してデータを伝送する過程を示す概略図である。まず、図１で説明したような位置登録過程を通して、前記ＭＮ１０の位置を前記ＨＡ３０に登録した後、前記ＣＮ４０と前記ＭＮ１０との間のデータ送受信が遂行される過程を説明する。前記ＦＡ２０と前記ＨＡ３０との間のネットワーク２５、前記ＨＡ３０と前記ＣＮ４０との間のネットワーク２５、及び前記ＦＡ２０と前記ＣＮ４０との間のネットワーク２５は、同一のネットワークであることも、異なるネットワークであることもできる。ここで、前記ネットワーク２５はＩＰネットワークである。
【０００６】
前記ＣＮ４０は、前記ＭＮ１０にデータを伝送しようとするコンピュータである。データを伝送する場合、前記ＣＮ４０は、前記ＩＰネットワーク２５を通して前記ＨＡ３０にデータを伝達する。前記ＨＡ３０は、自分が管理するＦＡのアドレスを有しており、前記ＦＡのアドレスのうち前記ＭＮ１０の属するＦＡのＩＰアドレスを前記ＩＰネットワーク２５を通して前記ＦＡ２０に伝達する。そうすると、前記ＦＡ２０は、前記ＭＮ１０にデータを伝送する。前記データは、前記ＣＮ４０のアドレスを含む。反対に、前記ＭＮ１０が前記ＣＮ４０にデータを送信しようとする場合、前記ＦＡ２０に前記データを伝達し、前記ＦＡ２０が前記ＨＡ３０を経由せずに前記ＣＮ４０に前記データを伝送する。これは、前記ＭＮ１０が目的地アドレスを有してデータ伝送を要求するからである。従って、データは、異なる経路を通して送信及び受信される。
【０００７】
前記ＶＰＮは２つの形態に区分される。第１は、永久的なリンクによってサイト(Site)間を連結する専用広域ネットワーク(Dedicated WAN(Wide Area Network))であり、第２は、ＰＳＴＮ(Public Switched Telephone Network)を通してダイアルアップ接続を使用して連結するダイアルネットワーク(Dial Network)である。図３を参照して、ＩＰネットワークを基礎にするＶＰＮがルータ(Router)を通して連結されるネットワークの構成及び前記ＶＰＮを通したデータの送受信過程を説明する。
【０００８】
図３において、ＩＰバックボーン(Backbone)は、ルータに連結される。インターネットサービス提供者(Internet Service Provider: 以下、ＩＳＰと称する)ルータ１２０、１３０、１４０は、ＣＰＥ(Customer Promise Equipment)ルータ１１０、１５０、１６０、１７０に連結されるための最終(Edge)ルータである。ＣＰＥルータは、移動加入者を特定の位置でＶＰＮに接続し、ＩＳＰルータは、ＩＳＰによって運用される装置であり、前記ＣＰＥルータから受信されるデータを所望するＶＰＮに伝送する。ＩＰネットワーク１００のＩＳＰルータ１２０、１３０、１４０は、ＩＰトンネルを形成してデータを送受信する。前記ＩＳＰルータと前記ＣＰＥルータとの間にはスタブ(stub)リンクが形成される。必要によっては、他の位置に存在するＣＰＥルータとＩＳＰルータとの間にバックアップリンク(Backup link)を形成し、ＣＰＥルータ間にはバックドアリンク(Backdoor link)を形成する。従って、図３に示すように構成されたネットワークは、インターネットサービス及び多様な通信を提供する。
【０００９】
現在のＶＰＮは、使用者が存在する所にＩＰトンネルを生成することによって前記インターネットを通して前記使用者にデータ通信を支援する。しかしながら、前記ＭＮはどこへも移動することができるので、特定の地域のＩＳＰに前記ＭＮに関するデータ送受信のための全ての情報を貯蔵することは不可能である。これは、ＶＰＮのサーバーがＭＮにデータを最初に伝送することが不可能であることを意味する。
【００１０】
【発明が解決しようとする課題】
従って、本発明の目的は、ＶＰＮにおいてサーバーがＭＮに最初にデータを伝送することを可能にする方法を提供することにある。
【００１１】
本発明の他の目的は、ＶＰＮにおいてＭＮとサーバーとの間に通信リンクが形成されていない状態で、前記サーバーが前記ＭＮに最初にデータを伝送することを可能にする方法を提供することにある。
【００１２】
【課題を解決するための手段】
前記目的を達成するための本発明は、ＶＰＮサーバーからＭＮにデータを伝送する方法を提供する。本発明の第１特徴によると、前記ＭＮは、前記ＭＮの属するＦＡにＶＰＮサービス登録を要請する。前記ＦＡは、前記ＦＡに連結されているＩＳＰルータに、前記ＭＮがＶＰＮサービス登録を要請したことを通報する。次に、ＶＰＮサーバーにおいて前記ＭＮをターゲットにするデータが生成すると、ＣＰＥルータは、前記ＣＰＥに連結されているＩＳＰルータを通してＨＡからから前記ＦＡに関する情報を獲得する。前記ＣＰＥルータに連結されているＩＳＰルータは、前記ＦＡ情報を利用して前記ＦＡにデータをルーティングし、前記ＦＡは、前記ルーティングされたデータを前記ＭＮに伝送する。
【００１３】
本発明の第２特徴によると、ＭＮは、前記ＭＮの属するＦＡにＶＰＮサービス登録を要請する。前記ＦＡは、前記ＦＡに連結されているＩＳＰルータに、前記ＭＮがＶＰＮサービス登録を要請したことを通報する。ＶＰＮサーバーから前記ＭＮをターゲットにするデータを受信すると、前記ＦＡは、前記ＶＰＮサービスデータを前記ＭＮにルーティングする。
【００１４】
【発明の実施の形態】
以下、本発明に従う好適な実施形態について添付図を参照しつつ詳細に説明する。下記の説明において、本発明の要旨のみを明確にする目的で、関連した公知機能または構成に関する具体的な説明は省略する。
【００１５】
図４は、本発明の実施形態における機能を遂行するための、サーバーからＭＮにデータを伝送するためのＶＰＮの構成を示す概略図である。
【００１６】
本発明の一実施形態においては、説明の便宜のため、ＶＰＮ(Virtual Private Network)を、ルータで連結される仮想私設ルータネットワーク(Virtual Private Router Network: ＶＰＲＮ)を例にして説明する。
【００１７】
図４を参照すると、ＩＰバックボーン(Backbone)は、ルータに連結される。ＩＳＰ(Internet Service Provider)最終(Edge)ルータ４１１、４１３、４１５、４１７は、ＣＰＥ(Customer Promise Equipment)ルータ４１９に連結される。例えば、前記ＣＰＥルータ４１９は、ＭＮ４２１が特定の位置でＶＰＮに接続するために必要な装置である。前記ＩＳＰ最終ルータ４１１、４１３、４１５、４１７は、前記ＩＳＰが運用する装置であり、前記ＣＰＥルータ４１９から受信されるデータを加入者の所望するＶＰＮに連結する。前記ＩＳＰ最終ルータ４１１、４１３、４１５、４１７は、ＩＰネットワークであり、前記ＩＳＰ最終ルータ４１１、４１３、４１５、４１７間のデータ伝送は、ＩＰトンネル(tunnel)を形成して遂行される。前記ＩＳＰ最終ルータ４１１、４１３、４１５、４１７と前記ＣＰＥルータ４１９との間にはスタブ(stub)リンクが形成される。以下、説明の便宜のため、前記ＩＳＰ最終ルータをＩＳＰルータと称する。
【００１８】
前記ＭＮ４２１は、位置登録要求(Registration Request)メッセージをＦＡ４２３に伝達し、前記ＦＡ４２３は、前記ＦＡのアドレスを含む位置登録要求メッセージを前記ＭＮ４２１のＨＡ４２５にＩＰネットワークを通して伝送する。前記ＨＡ４２５は、前記ＭＮ４２１が位置している前記ＦＡ４２３のアドレス、つまり、前記ＭＮ４２１のＣＯＡを貯蔵する。次に、前記ＨＡ４２５は、前記位置登録要求メッセージに対応して位置登録応答(Registration Replay)メッセージを前記ＦＡ４２３に伝達する。従って、前記ＭＮ４２１が前記ＨＡ４２５に位置登録を完了する。前記ＭＮ４２１の位置登録は、前記ＭＮ４２１がＣＮ４２７からデータを受信することを可能にする。
【００１９】
本発明の実施形態において、前記ＭＮ４２１が前記ＦＡ４２３にＶＰＮサービス登録要求(VPN service registration request)メッセージを伝送すると、前記ＦＡ４２３は、自己に連結されているＩＳＰルータ４１５、４３１に前記ＶＰＮサービス登録を通知する。そうすると、前記ＩＳＰルータ４１５、４３１は、前記ＭＮ４２１がＶＰＮサービスを受けることができること、つまり、前記ＶＰＮサービスが登録されていることを感知する。このようにして、前記ＶＰＮサーバー４２９が前記ＦＡ４２３に属するＭＮ４２１に最初にデータを送信することができる。
【００２０】
以下、図５を参照して、前述したように構成されたＶＰＮにＩＰアドレスが割り当てられたＶＰＮを通して前記ＶＰＮサーバーから前記ＭＮへ最初にデータを伝送する過程を説明する。図５は、図４の装置にＩＰアドレスが割り当てられた図である。
【００２１】
図５を参照すると、例えば、“１.１.１.１”というＩＰアドレスを有する前記ＭＮ４２１は、例えば、“２.２.２.２”というＩＰアドレスを有する前記ＦＡ４２３にＶＰＮサービス登録要求(VPN service registration request)メッセージを伝送する。前記ＶＰＮサービス登録要求メッセージのフォーマットは、図７を参照して後で説明する。前記ＦＡ４２３は、前記ＩＳＰルータＢ４１５に前記ＶＰＮサービス登録要求を通知する。図５において、前記ＦＡ４２３にＩＳＰルータＢ４１５のみが連結される場合を例にして説明しているので、前記ＩＳＰルータＢ４１５のみに前記ＭＮ４２１のＶＰＮサービス登録要求を通知しているが、前記ＦＡ４２３に複数のＩＳＰルータが連結される場合、それぞれのＩＳＰルータに前記ＶＰＮサービス登録要求を知らせる。前記ＩＳＰルータＢ４１５は、例えば、“２.２.Ｘ.Ｘ”のＩＰアドレスを有する。ここで、前記ＶＰＮサービス登録要求を知らせるメッセージフォーマットは、図８を参照して後で説明する。
【００２２】
前記ＭＮ４２１が前記ＶＰＮサービス登録要求をした状態で、“５.５.５.５”のＩＰアドレスを有するＶＰＮサーバー４２９は、前記ＭＮ４２１に伝送するデータが発生する場合、前記ＭＮ４２１の属するＦＡを検索する。そうするために、前記ＶＰＮサーバー４２９は、自己の属するＣＰＥルータ４１９に前記ＭＮ４２１のＦＡ４２３の検索を要求する。ここで、前記ＣＰＥルータ４１９は、例えば、“５.５.５.Ｘ”のＩＰアドレスを有すると仮定する。そうすると、前記ＣＰＥルータ４１９は、自己に連結されている“５.５.Ｘ.Ｘ”のアドレスを有するＩＳＰルータＡ４１１に前記ＭＮ４２１のＦＡ４２３の検索を要求する。
【００２３】
前記ＩＳＰルータＡ４１１は、前記ＨＡ４２５に前記ＭＮ４２１のＩＰアドレスを含めて前記ＦＡの検索を要請する。以下、より詳細に説明する。
【００２４】
前記ＶＰＮサーバー４２９が前記ＦＡ４２３のＩＰアドレスを検索するためには、前記ＩＳＰルータＡ４１１は、“１.１.Ｘ.Ｘ”のＩＰアドレスを有する前記ＨＡ４２５に前記ＭＮ４２１の前記ＦＡ４２３の検索を要求する。ここで、前記ＩＳＰルータＡ４１１は、前記ＭＮ４２１のＩＰアドレスである“１.１.１.１”を前記ＨＡ４２５に知らせて、前記ＨＡ４２５が前記ＦＡ４２３のＩＰアドレスを検索することを可能にする。次に、前記ＨＡ４２５は、前記ＦＡ４２３のＩＰアドレスを前記ＩＳＰルータＡ４１１に知らせる。
【００２５】
前記ＭＮ４２１のＦＡ４２３のＩＰアドレスを受信すると、前記ＩＳＰルータＡ４１１は、自己に連結されているＩＳＰルータ４１３、４１５、４１７のうち前記ＦＡ４２３のＩＰアドレスに対応するＩＰアドレスを有するＩＳＰルータ、つまり、ＩＳＰルータＢ４１５を検出する。例えば、前記ＩＳＰルータＢ４１５は、“２.２.Ｘ.Ｘ”のＩＰアドレスを有する。そうすると、前記ＩＳＰルータＡ４１１は前記ＩＳＰルータＢ４１５に連結され、前記ＣＰＥルータ４１９が前記ＩＳＰルータＢ４１５と連結されることで、前記ＶＰＮサーバー４２９は、前記ＩＳＰルータＢ４１５にデータを伝送することが可能になる。前記データを受信すると、前記ＩＳＰルータＢ４１５は、前記ＭＮ４２１のＩＰアドレスによって前記ＦＡ４２３を決定し、前記決定されたＦＡ４２３に前記データを伝送する。次に、前記ＦＡ４２３は、前記ＭＮ４２１に前記データを伝送する。
【００２６】
図６は、前記ＭＮから前記ＦＡに伝送される通常的な登録要求メッセージのフォーマットを示し、図７は、本発明の実施形態によるＶＰＮサービス登録要求メッセージのフォーマットを示す。
【００２７】
図６を参照すると、前記登録要求メッセージは、メッセージタイプ(type)領域６１１、ライフタイム(lifetime)領域６１３、該当のＭＮのＩＰアドレスを示すホームアドレス(Home Address)領域６１５、ＨＡに関する情報を提供するＨＡ領域６１７、前記ＭＮが位置しているＦＡのＩＰアドレスを示すＣＯＡ領域６１９、識別子(Identification)領域６２１、及び予約(reserved)領域(図示せず)から構成される。
【００２８】
前記ＶＰＮサービス登録要求メッセージは、図６に示す通常的な登録要求メッセージに図７に示す領域を追加して形成される。つまり、前記登録メッセージの予約領域７１５にＶＰＮサービスＩＤ７１３を指定する。
【００２９】
前記ＭＮが該当のＦＡにＶＰＮサービス登録要求メッセージを伝送すると、前記ＦＡは、自分に連結されたＩＳＰルータに前記ＶＰＮサービス登録要求をメッセージによって通知することで、前記ＩＳＰルータが前記ＭＮからの前記ＶＰＮサービス登録要求を認識するようにする。
【００３０】
前記ＶＰＮサービス登録要求を通知するメッセージを図８を参照して詳細に説明する。図８は、本発明の一実施形態によるＶＰＮサービス登録要求通報メッセージのフォーマットを示す。
【００３１】
図８を参照すると、前記ＶＰＮサービス登録要求通報メッセージは、前記メッセージのタイプ(Type)を指定するメッセージタイプ領域８１１、長さ(Length)領域８１３、予約(reserved)領域８１５、前記ＭＮが登録要請したＶＰＮサービスのＩＤを示すＶＰＮサービスＩＤ領域８１７、前記ＶＰＮサービス登録要求メッセージを伝送したＦＡのＣＯＡを示すＣＯＡ領域８１９、及びＶＰＮサービス登録を要求したＭＮのＩＰアドレスを示すＨＡ領域８２１から構成される。
【００３２】
ここで、ＶＰＮサーバーから前記ＭＮにデータを最初に送信しようとする場合のデータ伝送過程を図９を参照して説明する。
【００３３】
図９を参照すると、前記ＭＮ４２１は、ＶＰＮサービスを受けるために前記ＦＡ４２３にＶＰＮサービス登録要求メッセージを伝送する(段階９１１)。前記ＦＡ４２３は、自分に連結されているＩＳＰルータ、つまり、図５に示すＩＳＰルータＢ４１５に前記ＶＰＮサービス登録要求通報メッセージを伝送する(段階９１３)。
【００３４】
前記ＶＰＮサービス登録要求が完了した状態で、前記ＶＰＮサーバー４２９において前記ＭＮ４２１に対する伝送データの発生を感知すると(段階９１５)、前記ＣＰＥルータ４１９は、自分に接続されているＩＳＰルータ、つまり、ＩＳＰルータＡ４１１に前記ＭＮ４２１の属するＦＡに対する検索を要求する(段階９１７)。そうすると、前記ＩＳＰルータＡ４１１は、前記ＨＡ４２５にＦＡ ＩＰアドレス検索要求メッセージを伝送する(段階９１９)。そうすると、前記ＨＡ４２５は、前記ＦＡ ＩＰアドレス検索要求メッセージに含まれている前記ＭＮ４２１のＩＰアドレスを利用して前記ＭＮ４２１のＦＡ４２３のＩＰアドレスを検索する(段階９２１)。前記ＨＡ４２５は、前記検索された前記ＦＡ４２３のＩＰアドレスを含むＦＡ ＩＰアドレス応答メッセージを前記ＩＳＰルータＡ４１１に伝送する(段階９２３)。前記ＩＳＰルータＡ４１１は、前記ＦＡ４２３のＩＰアドレスに対応するＩＳＰルータ、つまり、ＩＳＰルータＢ４１５にルーティングする(段階９２５)。従って、前記ＩＳＰルータＡ４１１と前記ＩＳＰルータＢ４１５との間が連結され、前記ＣＰＥルータ４１９と前記ＩＳＰルータB４１５との間が連結される。そうなると、ＶＰＮサーバー４２９は、前記ＭＮ４２１に伝送しようとするデータを前記ＩＳＰルータＢ４１５に伝送する(段階９２７)。次に、前記ＩＳＰルータＢ４１５は、前記ＦＡ ＩＰアドレス応答メッセージに設定されているＩＰアドレスを有するＦＡ４２３を検索し、前記検索されたＦＡ４２３に前記データを伝送する(段階９２９)。最後に、前記ＦＡ４２３は、前記ＭＮ４２１のＩＰアドレスを参照して前記ＭＮ４２１に前記データを伝送する(段階９３１)。
【００３５】
前述の如く、本発明の詳細な説明では具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【００３６】
【発明の効果】
前述してきたように、本発明は、ＶＰＮにおいてサーバーがＭＮの属するＦＡを実時間で検索することができ、それによって、前記サーバーが前記ＭＮに最初にデータを伝送することが可能になるという利点がある。
【図面の簡単な説明】
【図１】  ＭＮにモバイルＩＰアドレスを割り当てるためのモバイルＩＰネットワークの構成を示す概略図である。
【図２】  ＭＮにモバイルＩＰアドレスを割り当てるためのネットワークにおけるデータ伝送を示す概略図である。
【図３】  ＩＰネットワークを基礎にしてＶＰＮがルータを通して連結されるネットワークの構成を示す概略図である。
【図４】  サーバーがＭＮにデータを伝送するためのＶＰＮの構成を示す概略図である。
【図５】  図４の装置にＩＰアドレスを割り当てた図である。
【図６】  ＶＰＮにおいてＭＮがＦＡに自分の位置を登録するための通常的な登録要求メッセージのフォーマットを示す図である。
【図７】  本発明の一実施形態によるＶＰＮサービス登録要求メッセージのフォーマットを示す図である。
【図８】  本発明の他の実施形態によるＦＡから該当のＩＳＰ最終ルータにＭＮのＶＰＮサービス要請を知らせるメッセージのフォーマットを示す図である。
【図９】  本発明の第３実施形態によるＶＰＮにおいてサーバーからＭＮにデータを伝送する信号のフローを示す図である。
【図１】
0003701270.tif 000002
【図２】
0003701270.tif 000003
【図３】
0003701270.tif 000004
【図４】
0003701270.tif 000005
【図５】
0003701270.tif 000006
【図６】
0003701270.tif 000007
【図７】
0003701270.tif 000008
【図８】
0003701270.tif 000009
【図９】
0003701270.tif 000010